(57)【要約】【課題】設置状態に影響されず正確に米と水の重量を計量でき、炊飯量および炊飯工程に応じ、高火力でおいしく炊飯できる炊飯器を得ること。【解決手段】上面が開口した本体２と、鍋３と、蓋３と、蓋４の開閉状態を検知する蓋開閉検知手段５と、鍋３を支持する保護枠６と、鍋３を誘導加熱する加熱コイル７と、鍋３に投入された調理物の重量を検知するとともに保護枠６を支持する重量検知手段８とを備えたことで、鍋３の重量およびその変化を正確に計量する。蓋３は開放状態であればよく、本体や蓋４の一部が設置場所で壁面に接触していても計量できる。また、隙間調整部が鍋と保護枠の隙間を一定にすることで、鍋と加熱コイルの距離が鍋の着脱操作で変化しないので、加熱コイルは炊飯量や炊飯工程に応じ、高火力で鍋を加熱することで、おいしく炊き上げる。【選択図】図１
2006346058.tif 000002
【特許請求の範囲】
【請求項１】
上面が開口した本体と、前記本体内に着脱自在に収納され調理物を収容する鍋と、前記本体を開閉自在に覆う蓋と、前記蓋の開閉状態を検知する蓋開閉検知手段と、前記鍋を誘導加熱する加熱コイルを備えるとともに前記鍋を収納する保護枠と、前記鍋と前記保護枠の隙間を所定の隙間に保持する隙間調整部と、前記保護枠に設けられ前記鍋の底部を支持する鍋支持部と、前記鍋および前記保護枠を支持する保護枠支持手段と、前記鍋内の調理物と前記鍋と前記保護枠と前記保護枠支持手段の重量を計量する重量検知手段とを備えた炊飯器。
【発明の詳細な説明】
【技術分野】
【０００１】
本発明は計量機構を有する炊飯器に関するものである。
【背景技術】
【０００２】
近年、電磁誘導加熱を利用した炊飯器が市場で広まっている。電磁誘導加熱を利用した炊飯器（誘導加熱炊飯器またはＩＨ炊飯器ともいう）は、鍋底部の外側に誘導加熱コイル（単に加熱コイルともいう）を有し、誘導加熱コイルから発生する磁力を利用して鍋自体を加熱するので、ヒータを用いる従来の炊飯器に比べてふっくらとしたおいしいご飯が炊ける。
【０００３】
一方、ご飯の食味を向上させるために、鍋の中の米と水の分量すなわち炊飯量を判定し、炊飯量に応じて加熱量（火力ともいう）を制御する炊飯器が普及してきた。従来、加熱時（例えば、所定温度で米に吸水させた後に沸騰させる時）の鍋の温度上昇速度から炊飯量を判定する方法が知られている。しかし、この場合、温度が所定値に達して炊飯量が判定されるまでは、火力制御が不可能である。従って、炊飯量が少ない場合に、吸水が十分行われる前に水が沸騰し、米に芯が残ってご飯が硬くなることがあった。
【０００４】
特公平１−２７７２４号公報に、従来例の炊飯器が開示されている。従来例の炊飯器は、炊飯開始と同時に重量検知手段によって内鍋の重量（内鍋、水および米の総重量）を検知して炊飯量を判定し、炊飯時のヒータの電力量（火力）を制御する。従って、炊飯開始とともにその炊飯量に見合った火力制御が可能となり、おいしいご飯を炊くことができる。
【特許文献１】特公平１−２７７２４号公報
【発明の開示】
【発明が解決しようとする課題】
【０００５】
しかしながら、特公平１−２７７２４号公報に開示された従来例の炊飯器は、本体、底枠および底枠の内側に挿入される底蓋を有する。本体に鍋を収納すると、鍋と本体との合計重量に比例して底枠および底蓋に取り付けられた電極間の距離が変化する。電極間の静電容量の変化を発振状態の変化として検出し、炊飯量を検知する。しかし、従来例の炊飯器は鍋に対する炊飯器全体の大きさが大きく、持ち運び及び設置性が悪いという問題があった。更に、部品点数が多く組み立て性が悪いという問題があった。
【０００６】
また、従来例の炊飯器と同様の重量検知手段を、誘導加熱炊飯器に取り付けようとする場合、以下のような問題が生じた。誘導加熱炊飯器においては炊飯時、鍋自体が高温に加熱されることによって鍋の中で水が対流し、その対流による熱伝導で米が加熱される。従って、鍋内の米と水を均一に加熱して炊きムラを生じさせないためには、鍋と誘導加熱コイルとの間の位置関係を最適な状態に固定し、炊飯量に応じて所定の状態、強さの対流を鍋内に起こす必要がある。このため、誘導加熱コイルは３次元的な複雑な形状を有することが多い。そのため誘導加熱コイルを装着する収納部（保護枠ともいう）は、成型性および量産性を鑑み、通常は耐熱性の樹脂で生産される。また、一般に誘導加熱炊飯器は、鍋が収納部の上端にそのフランジ部などで水平に懸架され、鍋と収納部との間に所定の隙間を保持するために耐熱性の弾性材料で形成された隙間調整部を有する。しかしながら、鍋の着脱操作を行うと、隙間調整部の支持状態が変化するものであり、従来例の炊飯器と同様の重量検知手段では正確に鍋の重量を計量できないものとなり、誘導加熱炊飯器に取り付けることはできなかった。
【０００７】
また、従来例の炊飯器と同様の重量検知手段であれば、本体や蓋の一部が設置場所の壁面に接触すること、本体や蓋に着脱可能な付属部品の装着を忘れることなどの外部要因によって、計量結果にバラツキを生じ、正確な計量が行えないという課題もあった。
【０００８】
本発明は上記従来の課題を解決するもので、調理物の重量に応じた適切な火力制御が可能な、小型軽量で安価な、電磁誘導加熱を利用し優れた炊飯性能を発揮する炊飯器を提供することを目的とする。
【課題を解決するための手段】
【０００９】
前記従来の課題を解決するために、本発明の炊飯器は、上面が開口した本体と、前記本体内に着脱自在に収納され調理物を収容する鍋と、前記本体を開閉自在に覆う蓋と、前記蓋の開閉状態を検知する蓋開閉検知手段と、前記鍋を誘導加熱する加熱コイルを備えるとともに前記鍋を収納する保護枠と、前記鍋と前記保護枠の隙間を所定の隙間に保持する隙間調整部と、前記保護枠に設けられ前記鍋の底部を支持する鍋支持部と、前記鍋および前記保護枠を支持する保護枠支持手段と、前記鍋内の調理物と前記鍋と前記保護枠と前記保護枠支持手段の重量を計量する重量検知手段とを備えたものである。
【００１０】
これによって、重量検知手段は、本体に収納された鍋を支持する保護枠を支持し、鍋の重量およびその変化を計量する。蓋は開放状態であればよく、本体や蓋の一部が設置場所で壁面に接触していても、正確に計量できる。また、保護枠が鍋を支持することで、隙間調整部が鍋と保護枠の隙間を所定の隙間に保持し、鍋と加熱コイルの距離が鍋の着脱操作で変化しないので、加熱コイルの誘導加熱により、鍋内に所定の状態、強さの対流が発生する。炊飯量や炊飯工程に応じ、より高火力で鍋を加熱することができて、炊飯量の多少に関わらず、ふっくらと炊き上げる。すなわち、計量精度と炊飯性能を両立することができる。
【発明の効果】
【００１１】
本発明の炊飯器は、調理物を高精度に計量し、調理物に応じた高火力によって、優れた炊飯性能を得ることができる。
【発明を実施するための最良の形態】
【００１２】
第１の発明は、上面が開口した本体と、前記本体内に着脱自在に収納され調理物を収容する鍋と、前記本体を開閉自在に覆う蓋と、前記蓋の開閉状態を検知する蓋開閉検知手段と、前記鍋を誘導加熱する加熱コイルを備えるとともに前記鍋を収納する保護枠と、前記鍋と前記保護枠の隙間を所定の隙間に保持する隙間調整部と、前記保護枠に設けられ前記鍋の底部を支持する鍋支持部と、前記鍋および前記保護枠を支持する保護枠支持手段と、前記鍋内の調理物と前記鍋と前記保護枠と前記保護枠支持手段の重量を計量する重量検知手段とを備えたことで、重量検知手段は、本体に収納された鍋を支持する保護枠を支持し、鍋の重量およびその変化を計量する。蓋は開放状態であればよく、本体や蓋の一部が設置場所で壁面に接触していても、正確に計量できる。また、保護枠が鍋を支持することで、隙間調整部が鍋と保護枠の隙間を所定の隙間に保持し、鍋と加熱コイルの距離が鍋の着脱操作で変化しないので、加熱コイルの誘導加熱により、鍋内に所定の状態、強さの対流が発生する。炊飯量や炊飯工程に応じ、より高火力で鍋を加熱することができて、炊飯量の多少に関わらず、ふっくらと炊き上げる。すなわち、計量精度と炊飯性能を両立することができる。
【００１３】
また、第１の発明の加熱コイルが保護枠に固定されたことで、鍋と加熱コイルの距離をより一定なものとし、さらに高火力な炊飯が行えるものである。
【００１４】
また、第１の発明の鍋と保護枠の隙間において、鍋と保護枠の隙間を調整する隙間調整部を設けたことで、鍋と保護枠の隙間が全周でほぼ一定となり、加熱コイルと鍋の距離が所定の距離となり、必要な火力で鍋を加熱し、安定した炊飯性能が得られるものである。
【００１５】
また、第１の発明の保護枠に、鍋の回転を抑制する回り止め手段を設けたことで、計量精度と炊飯性能の両立に加え、炊飯後のご飯のほぐし作業や、ご飯を茶碗に盛り付ける時に、鍋が回転することを防止し、使い勝手が良いものである。
【００１６】
また、上記の回り止め手段を、隙間調整部と円周方向で交互になるように配置したことで、炊飯後のご飯のほぐし作業や、ご飯を茶碗に盛り付ける時に、鍋と保護枠の間の隙間において、鍋が半径方向で外側に移動する。このとき、鍋は１個または２個の隙間調整部に接触し、それらの中間部分で半径方向に移動するので、鍋は円周方向で交互に配置された回り止めに当たり、回転することが確実に防止され、使い勝手が良いものである。
【００１７】
また、上記の回り止め手段を、隙間調整部より上方に配置したことで、鍋は隙間調整部により保護枠に対して所定の位置に装着されて、鍋と加熱コイルは所定の距離であって、必要な加熱性能を得る。さらに、ご飯のほぐし作業で、鍋が回転する時には、隙間調整部で形成される空隙において鍋が水平移動し、傾斜することで、鍋は回り止め手段に押し付けられて、静止するので、操作性が良いものである。
【００１８】
また、上記の回り止め手段を、開放した蓋の反対位置に少なくとも１個を配置したことで、通常は使用者が開放した蓋が後方となるように本体を設置するので、ご飯のほぐし作業や盛り付けに当たり、鍋には本体前方に押し付けるような力が作用し、鍋は回り止め手段に押し付けられ、直ちに静止するので、操作性が良いものである。
【００１９】
また、上記の回り止め手段を、本体上面の開口に近接して配置したことで、鍋の傾き角度が同程度の場合も、鍋の上端部の移動距離が大きくなり、回り止めに接触し、より確実に静止するので、操作性が良いものである。
【００２０】
また、第１の発明の隙間調整部として、鍋の外側面に凸部の隙間調整部を設けたことで、新たな部品を使用しないで、且つ鍋と同材質のため耐久強度があり、長期間の使用中、炊飯性能が安定するものである。
【００２１】
また、第１の発明の隙間調整部として、鍋と保護枠の隙間を調整し、且つ鍋の回転を抑制する鍋位置規制手段を設けたことで、鍋を所定の位置に収納すれば、加熱コイルと鍋が所定の距離となり、必要な加熱能力および炊飯性能が得られる。収納と同時に、鍋の回転も規制されるので、ご飯を取扱う際には、所定の位置で安定する。
【００２２】
また、上記の鍋位置規制手段は鍋の上端部に設けた取っ手部と、前記取っ手部が収納される本体の取っ手受け部とで形成したことで、炊飯や保温直後の鍋の取り出しも可能になり、取っ手部が取っ手収納部に収納された状態では、鍋は保護枠との距離が規制されて、加熱コイルは鍋を所定の火力で加熱するので、炊飯性能が得られる。また、取っ手収納部は取っ手部に対し、鉛直方向で支持しないので、鍋の重量は重量検知手段にて計量でき、いつも適切な水加減にて炊飯することができる。
【００２３】
以下、本発明の実施の形態について、図面を参照しながら説明する。なお、この実施の形態によって本発明が限定されるものではない。
【００２４】
（実施の形態１）
図１〜図３を用いて、本発明における実施の形態１の炊飯器を説明する。
【００２５】
図１は、実施の形態１における炊飯器１の断面図である。上面が開口した本体２と、本体２内に着脱自在に収納される鍋３と、本体２を開閉自在に覆う蓋４、蓋４の開閉状態を検知する蓋開閉検知手段５と、鍋３を支持する保護枠６と、鍋３を誘導加熱する加熱コイル７を有す。加熱コイル７は保護枠６の下面に着脱自在に取り付けられている。
【００２６】
また、蓋４には、鍋３の上面を水密にする可撓性の加熱パッキングを有す。また、加熱パッキングは蓋加熱板に取り付けられており、蓋加熱板は蓋４に対し着脱自在である。なお、加熱コイル７と同様に、蓋加熱板を誘導加熱する蓋加熱コイルが設けられている。
【００２７】
また、保護枠６には鍋３が保護枠６の中央に収納されるように、鍋３を支持するともに、鍋３と保護枠６の隙間を調整する凸形状の隙間調整部６ａおよび鍋支持部６ｂが複数個設けられている。さらに、鍋３の温度を検出する底温度センサー６ｃが鍋３の底面と当接するよう構成されている。
【００２８】
また、鍋３に投入された調理物の重量を検知するとともに保護枠６を支持する重量検知手段８を有し、保護枠支持手段８ａに加わる重量を検出する。保護枠支持手段８ａは保護枠６の下方に配置され、保護枠６、加熱コイル７および収納された鍋３を支持し、それらの重量を重量検知手段８に伝達する。重量検知手段８は、重量により変形する起歪体とひずみゲージで構成され、一般的にロードセルと言われる計量機構である。計量機構は公知の従来技術であり、詳細な説明を省略する。なお、計量機構は起歪体とひずみゲージによるロードセルに限定するものでもない。
【００２９】
また、制御手段１０は操作部９の入力により、加熱コイル７や蓋加熱コイルへの通電を制御することで、炊飯および保温を行い、炊飯器１の動作を制御する。
【００３０】
以上のように構成された炊飯器１について、以下その動作、作用を説明する。
【００３１】
まず、使用者は炊飯器１の蓋４を開放し、鍋３に炊飯するべき米を投入する。操作部９の米計量ボタン９ａを押すことで、米量を計量する。制御手段１０は、米計量ボタン９ａの操作に基づき、重量検知手段８が計量した米重量を記憶する。
【００３２】
次に、鍋３を本体２より取り出し、洗米し、その後、鍋３を本体２に収納する。制御手段１０は、重量検知手段８が計量した水重量を米重量と比較し、予め記憶している米と水の割合から推定される飯のかたさを水加減表示部９ｃに表示する。使用者は好みに応じ、水を加減し、炊飯スタートボタンを押して、炊飯を開始する。制御手段１０は炊飯量および水加減に応じ、加熱コイル７により浸漬、炊き上げ、蒸らしの各炊飯工程で所定の高火力で炊飯を行う。
【００３３】
また、鍋３の収納に当たり、鍋３は隙間調整部６ａおよび鍋支持部６ｂにより保護枠６に対し中央に配置され、鍋３は本体２の上面の開口部とは接触しないので、鍋３の全重量が保護枠６に加わり、保護枠支持手段８ａにより重量検知手段８に伝達される。これにより、鍋３の着脱に関わらず、繰り返し、重量検知手段８は鍋３の重量を正確に計量することができる。
【００３４】
なお、保護枠支持手段８ａで計量された重量およびその変化から、予め記憶した保護枠６および鍋３の重量を差し引いて、米重量や水重量が算出される。制御手段１０に設けた重量検知手段８からの検知信号の記憶部と、所定の演算を行う重量演算部とが、米重量、水重量および水加減を算出し、操作部９に表示することは、従来の技術で容易に実現するので、説明は省略する。
【００３５】
また、蓋４が開放状態であれば、鍋３は保護枠６のみで支持した状態であり、本体２やその他の部分と接触していないので、鍋３の重量およびその変化が正確に保護枠支持手段８ａすなわち重量検知手段８に伝達される。本体１や蓋４の一部がその設置場所で壁面や天面に接触していても、正確に計量できる。
【００３６】
また、保護枠６が鍋を支持することで、鍋３と加熱コイル７の距離が鍋３の着脱操作で変化しないので、加熱コイル７は炊飯量や炊飯工程に応じ、高火力で鍋３を加熱することで、おいしく炊き上げる。
【００３７】
以上のようにして、計量精度と炊飯性能を両立させることができる。
【００３８】
なお、鍋３と保護枠６の隙間を調整する隙間調整部６ａおよび鍋支持部６ｂを設けたことで、鍋３と保護枠６の隙間が全周でほぼ一定となり、加熱コイル７と鍋３の距離が鍋３の半径方向でも所定の距離となり、必要な火力で鍋３を加熱し、より安定した炊飯性能が得られるものである。
【００３９】
（実施の形態２）
図４を用いて、本発明における実施の形態２の炊飯器を説明する。
【００４０】
図４は、実施の形態２における炊飯器の断面図である。鍋３を収納する保護枠１１が加熱コイル１２を一体に形成し、固定している点が上記実施の形態１と異なる。その他の構成や使用者の操作は、実施の形態１と同じであるので、説明を省略する。
【００４１】
加熱コイル１２が予め保護枠１１に固定されていることにより、鍋３と加熱コイル１２の距離が組み立て作業やメンテナンス作業で変動することがなく、加熱コイル１２から鍋３への加熱効率が安定する。そこで、誘導加熱の熱損失を低減し、加熱効率を高めた、高火力の炊飯を行うことができる。
【００４２】
また、保護枠支持手段８ａが、保護枠１１を下方より支持する構成であるから、加熱コイル１２は保護枠支持手段８ａの取付け位置に関わらずに、その上方にも加熱コイル１２を配置することができる。したがって、鍋３をより均一に加熱することができ、炊飯性能が向上する。
【００４３】
（実施の形態３）
図５〜図６を用いて、本発明における実施の形態３の炊飯器を説明する。
【００４４】
図５は、実施の形態３における炊飯器の断面図であり、保護枠６に、鍋３の回転を抑制する回り止め手段１５を隙間調整部６ａと鉛直方向で高さを合わせて設けている点が上記実施の形態１〜２と異なる。その他の構成や使用者の操作は、実施の形態１と同じであるので、説明を省略する。
【００４５】
まず、回り止め手段１５は、比較的柔らかな弾性材料であるゴム、樹脂材料等で形成され、保護枠６に複数個装着されている。図６に示すように、回り止め手段１５は鍋３の外側面に沿うような曲面部あるいは平面部を有し、接触した鍋３の回転移動を抑制するものである。次に、隙間調整部６ａは、保護枠６と一体に設けられた半球面状の凸部形状を有し、鍋３を収納するときに、鍋３との接触抵抗が小さく、保護枠６と鍋３の位置関係を規制するものであり、鍋３の収納や取出しが容易である。なお、ここでは隙間調整部６ａと鍋３の空隙より、回り止め手段１５と鍋３の空隙を大きくなるように形成している。また、回り止め手段１５と隙間調整部６ａは、共に固定されており、それ自体が回動するものでもない。
【００４６】
計量精度と炊飯性能が両立することはもちろん、炊飯後のご飯のほぐし作業や、ご飯を茶碗に盛り付ける時に、鍋３が回転することを防止し、使い勝手が良いものである。
【００４７】
なお、回り止め手段１５あるいは隙間調整部６ａは、鉛直方向あるいは円周方向で回動するような、ローラーと軸受けで構成しても良いものである。回り止め手段１５と隙間調整部６ａを鍋３の鉛直方向の移動時に回動する構成とする場合には、より鍋３の収納が滑らかであり、しかも回り止め効果を確保できる。さらに、ここでは隙間調整部６ａと鍋３の空隙より、回り止め手段１５と鍋３の空隙を小さくなるように形成してもよいものである。
【００４８】
さらには、回り止め手段１５と鍋３の空隙が無いか、回り止め手段１５を圧縮するような構成としてもよいものである。この場合も、保護枠６に収納された鍋３の重量を計量する構成であるから、計量精度は確保でき、炊飯性能が両立することはもちろんである。鍋３の収納時に鉛直方向で若干の抵抗とはなるが、使用者の負担とならないし、鍋３の取出し時に本体２を持ち上げるほどの抵抗ともならない。しかも、炊飯後のご飯のほぐし作業や、ご飯を茶碗に盛り付ける時に、鍋３が回転することを防止し、使い勝手が良いものである。
【００４９】
なお、回り止め手段１５を、隙間調整部６ａと円周方向で交互になるように配置したことで、炊飯後のご飯のほぐし作業や、ご飯を茶碗に盛り付ける時に、鍋３と保護枠６の間の隙間において、鍋３が半径方向で外側に移動する。このとき、鍋３は１個または２個の隙間調整部６ａに接触し、それらの中間部分で半径方向に移動する。鍋３は円周方向で交互に配置された回り止め１５に接触し、回転することが確実に防止され、使い勝手が良いものである。
【００５０】
（実施の形態４）
図７〜図８を用いて、本発明における実施の形態４の炊飯器を説明する。
【００５１】
図８は、実施の形態４における炊飯器１の断面図であり、回り止め手段１５を、隙間調整部６ａより上方に配置した点が、上記実施の形態１〜３とは異なる。その他の構成は同様であるので、説明を省略する。
【００５２】
回り止め手段１５を、隙間調整部６ｄより上方に配置するため、回り止め手段１５が保護枠６の上端部に配置され、隙間調整部６ａがそれより鉛直方向で下位に配置されている。
【００５３】
この構成において、鍋３は隙間調整部６ａにより保護枠６に対して所定の位置に装着されるので、鍋３と加熱コイル７は所定の距離であって、必要な加熱性能および炊飯性能を得る。
【００５４】
さらに、ご飯のほぐし作業で、鍋３が回転移動する時には、鍋３の側面と隙間調整部６ａで形成される空隙において鍋３が水平移動したり、傾斜したりする。そのことで、鍋３は回り止め手段１５に押し付けられて、静止するので、操作性が良いものである。
【００５５】
また、図８に示すように、鍋３の円周において、回り止め手段１５が隙間調整部６ａの中間部に配置されていることで、鍋３を回転させ傾斜させるような外力、例えばご飯をほぐすような場合に、隙間調整部６ａで鍋３が接触し、その中間部で傾斜するので、回り止め手段１５が確実に鍋３を静止させる。
【００５６】
（実施の形態５）
図９〜図１０を用いて、本発明における実施の形態５の炊飯器を説明する。
【００５７】
図９は、実施の形態５における炊飯器の断面図であり、回り止め手段１５を、開放した蓋４の反対位置に少なくとも１個を配置した点が、上記実施の形態１〜４とは異なる。その他の構成は同様であるので、説明を省略する。
【００５８】
通常は使用者が開放した蓋４が後方となるように本体２を設置するので、ご飯のほぐし作業や盛り付けに当たり、鍋３には本体前方に押し付けるような力が作用する。回り止め手段１５が開放した蓋４の反対位置に、すなわち本体前方に少なくとも１個を配置したことで、鍋３は回り止め手段１５に押し付けられ、直ちに静止するので、操作性が良いものである。
【００５９】
（実施の形態６）
図１１〜図１２を用いて、本発明における実施の形態６の炊飯器を説明する。
【００６０】
図１１は、実施の形態６における炊飯器の断面図であり、回り止め手段２ａを、本体２上面の開口に近接して配置した点が、上記実施の形態１〜５とは異なる。その他の構成は同様であるので、説明を省略する。
【００６１】
回り止め手段２ａを、本体２上面の開口に近接して配置したことで、鍋３の傾き角度が同程度の場合も、鍋３の上端部の移動距離が大きくなり、回り止め手段２ａに接触し、より確実に静止するので、操作性が良いものである。
【００６２】
なお、隙間調整部として、鍋３の外側面に部分的に凸形状の隙間調整部３ａを設けている。このことで、新たな部品を使用しないで、且つ鍋３と同材質のため耐久強度があり、長期間の使用中、炊飯性能が安定するものである。もちろん、別部品を固定してもよいことはいうまでもない。
【００６３】
（実施の形態７）
図１３を用いて、本発明における実施の形態７の炊飯器を説明する。
【００６４】
図１３は、実施の形態７における炊飯器の断面図であり、鍋３と保護枠６の隙間を調整し、且つ鍋３の回転を抑制する鍋位置規制手段６ｄを設けた点が、上記実施の形態１〜６とは異なる。その他の構成は同様であるので、説明を省略する。
【００６５】
鍋が保護枠６の所定の位置に収納されるように、鍋３には凸形状の隙間調整部３ａを設け、保護枠６には凹形状の鍋位置規制手段６ｄを設けている。したがって、鍋３が収納されると、加熱コイル７と鍋３は所定の距離となり、必要な加熱能力および炊飯性能が得られる。また、鍋３を収納すると同時に、鍋３の回転も規制されるので、ご飯を取扱う際にも、鍋３は所定の位置で静止し、使い勝手が良い。
【００６６】
（実施の形態８）
図１４を用いて、本発明における実施の形態８の炊飯器を説明する。
【００６７】
図１４は、実施の形態７における炊飯器の断面図であり、鍋位置規制手段１８を鍋３の上端部に設けた取っ手部２０と、取っ手部２０が収納される本体２の取っ手受け部２１とで形成した点が、上記実施の形態１〜７とは異なる。その他の構成は同様であるので、説明を省略する。
【００６８】
鍋位置規制手段１８は鍋３の上端部に設けた取っ手部２０と、取っ手部２０が収納される本体２の取っ手受け部２１とで形成したことで、炊飯や保温直後の鍋の取り出しも可能になり、取っ手部２０が取っ手収納部２１に収納された状態では、鍋３は保護枠６との距離が規制されて、加熱コイル７は鍋３を所定の火力で加熱するので、炊飯性能が得られる。また、取っ手収納部２１は取っ手部２０に対し、鉛直方向では支持しないので、鍋３の重量は重量検知手段８にて正確に計量でき、いつも適切な水加減にて炊飯することができる。
【００６９】
なお、上記の実施の形態において、隙間調整部６ａおよび鍋支持部６ｂや回り止め手段１５等が保護枠６に対し、別部品として設けられたものであってもよい。また、鍋支持部６ｂと底温度センサー６ｃを一体化して、共用してもよい。鍋支持手段材質についても、両手段により弾性変形のしやすさを替えたり、鍋３との接触の仕方により、耐熱温度を変えたりしても良いものである。これらにより、各手段や各部品の耐久信頼性を向上できるものであり、計量精度および炊飯性能の長期維持が図れるものである。
【００７０】
なお、上記の各実施の形態は、炊飯器として、運転開始時から保温時まで、炊飯量やご飯の残量に応じた加熱を行い、優れた炊飯性能および保温性能を得ることができる。しかしながら、調理の対象は米に限定するものでなく、食品と水分と調味料を同一の鍋に入れて加熱するものであれば、運転開始の調理物の重量や、保温時に調理物が食されて減少する重量に応じ、加熱手段の通電量の制御すなわち火力の制御ができるので、いつも適温で、いつも適度な湿度で調理や保温が行える調理器であるといえる。すなわち、調理物は乾きすぎず、べたつかず、しかも焦げ付かないなど、安定しておいしさを実現し、おいしさを保持する調理器であるともいえる。
【産業上の利用可能性】
【００７１】
以上のように、本発明の炊飯器における加熱手段と重量検知手段は、鍋と加熱コイルの所定の距離を確保し、調理物の重量に応じ、最適な火力での加熱ができるので、ご飯をおいしく炊き上げることができる。また、炊飯器に限らず、加熱調理器、電気ジャーポットなど、様々な家庭用機器にも適用できるものである。
【図面の簡単な説明】
【００７２】
【図１】本発明の実施の形態１における炊飯器の蓋を開けた状態を示す断面図
【図２】同実施の形態１の蓋を閉じた状態を示す断面図
【図３】同実施の形態１の操作部を示す外観図
【図４】本発明の実施の形態２における炊飯器の断面図
【図５】本発明の実施の形態３における炊飯器の断面図
【図６】同実施の形態３の回り止め手段を示す断面図
【図７】本発明の実施の形態４における炊飯器の断面図
【図８】同実施の形態４の回り止め手段を示す断面図
【図９】本発明の実施の形態５における炊飯器の断面図
【図１０】同実施の形態５の隙間調整部を示す断面図
【図１１】本発明の実施の形態６における炊飯器の断面図
【図１２】同実施の形態６の隙間調整部を示す断面図
【図１３】本発明の実施の形態７における鍋および保護枠の断面図
【図１４】本発明の実施の形態８における炊飯器の断面図
【符号の説明】
【００７３】
１  炊飯器
２  本体
３  鍋
３ａ  隙間調整部
４  蓋
４ａ  加熱パッキン
５  蓋開閉検知手段
６、１１  保護枠
６ａ  隙間調整部
６ｂ  鍋支持部
６ｃ  底温度センサー
６ｄ、１８  鍋位置規制手段
７、１２  加熱コイル
８  重量検知手段
８ａ  保護枠支持手段
９  操作部
９ａ  米計量ボタン
９ｂ  米量表示部
９ｃ  水加減表示部
１０  制御手段
１５  回り止め手段
２０  取っ手部
２１  取っ手受け部
【図１】
2006346058.tif 000003
【図２】
2006346058.tif 000004
【図３】
2006346058.tif 000005
【図４】
2006346058.tif 000006
【図５】
2006346058.tif 000007
【図６】
2006346058.tif 000008
【図７】
2006346058.tif 000009
【図８】
2006346058.tif 000010
【図９】
2006346058.tif 000011
【図１０】
2006346058.tif 000012
【図１１】
2006346058.tif 000013
【図１２】
2006346058.tif 000014
【図１３】
2006346058.tif 000015
【図１４】
2006346058.tif 000016